(57)【要約】【課題】主に、設置スペースに応じた貯留量を得ることができるようにする。【解決手段】地中３に、流入管３６と排出管２５とオーバーフロー管３８とを有している縦坑４が設けられている。更に、この縦坑４には、横方向へ延びて内部に雨水を貯留可能な貯留管６，７が、少なくとも１本以上接続されるようにしている。【選択図】図２
2016186213.tif 000002
【特許請求の範囲】
【請求項１】
地中に、流入管と排出管とオーバーフロー管とを有している縦坑が設けられており、
更に、該縦坑には、横方向へ延びて内部に雨水を貯留可能な貯留管が、少なくとも１本以上接続されていることを特徴とする雨水貯留設備。
【請求項２】
請求項１に記載の雨水貯留設備において、
前記縦坑が、間隔を隔て一対設けられており、
前記貯留管が、前記一対の縦坑間に、１本、または、上下方向に複数本並列に接続されており、
一対の縦坑と少なくとも１本の貯留管との間に少なくとも１つのヤリトリ部が設けられていることを特徴とする雨水貯留設備。
【請求項３】
請求項２に記載の雨水貯留設備において、
前記ヤリトリ部の周辺に、自在継手を備えていることを特徴とする雨水貯留設備。
【請求項４】
請求項２または請求項３に記載の雨水貯留設備において、
少なくとも１本の前記貯留管が、流出側の縦坑に、偏芯縮管継手を介して管底接続されていることを特徴とする雨水貯留設備。
【請求項５】
請求項１ないし請求項４のいずれか１項に記載の雨水貯留設備において、
前記複数本の貯留管が、管台を介して上下に積層配置されていることを特徴とする雨水貯留設備。
【発明の詳細な説明】
【技術分野】
【０００１】
この発明は、雨水貯留施設に関するものである。
【背景技術】
【０００２】
例えば、敷地内に大型の雨水桝を埋設して降雨時に雨水を一時的に貯留できるようにした雨水貯留施設が存在している（例えば、特許文献１参照）。
【先行技術文献】
【特許文献】
【０００３】
【特許文献１】特許第５３４９８８７号公報
【発明の概要】
【発明が解決しようとする課題】
【０００４】
しかしながら、上記特許文献１に記載された雨水貯留施設は、１個の雨水桝によって構成されていたので、十分な貯留量が得られないという問題があった。
【０００５】
そこで、本発明は、上記した問題点を解決することを、主な目的としている。
【課題を解決するための手段】
【０００６】
上記課題を解決するために、本発明の雨水貯留設備は、
地中に、流入管と排出管とオーバーフロー管とを有している縦坑が設けられており、
更に、該縦坑には、横方向へ延びて内部に雨水を貯留可能な貯留管が、少なくとも１本以上接続されていることを特徴とする。
【発明の効果】
【０００７】
本発明によれば、上記構成によって、設置スペースに応じた貯留量を得ることができる。
【図面の簡単な説明】
【０００８】
【図１】実施例１にかかる雨水貯留設備の平面図である。
【図２】図１の側面図である。
【図３】図２の変形例の側面図である。
【図４】流入側の縦坑を側方から見た縦断面図である。
【図５】流出側の縦坑を側方から見た縦断面図である。
【図６】容器状オリフィス部材を示すものであり、（ａ）は側面図、（ｂ）は正面図である。
【図７】板状オリフィス部材を示すものであり、（ａ）は正面図、（ｂ）は側面図である。
【図８】金網を有する板状オリフィス部材を示すものであり、（ａ）は正面図、（ｂ）は側面図である。
【図９】オリフィスとしてのボルテックスバルブを示す斜視図である。
【図１０】ヤリトリ継手の側面図である。
【図１１】貯留管の本体の側面図である。
【図１２】多層構造管の部分断面図である。
【図１３】偏芯縮管継手の側面図である。
【図１４】偏芯拡管ヤリトリ継手の側面図である。
【図１５】スペーサ部材の斜視図である。
【図１６】図１５の正面図である。
【図１７】リブパイプの側面図である。
【図１８】図１７のリブ部分の拡大図である。
【図１９】実施例２にかかる雨水貯留設備の側面図である。
【図２０】流入側のマンホール継手の側面図である。
【図２１】流出側のマンホール継手の側面図である。
【図２２】図１９の変形例の側面図である。
【図２３】実施例３にかかる雨水貯留設備の側面図である。
【図２４】図２３の施工と中間部の状態を示す側面図である。
【図２５】実施例４にかかる雨水貯留設備を示す図であり、（ａ）は平面図、（ｂ）は側面図、（ｃ）は左側の端面図である。
【発明を実施するための形態】
【０００９】
以下、本実施の形態を、図面を用いて詳細に説明する。
図１〜図２５は、この実施の形態を説明するためのものである。このうち、図１〜図１８は実施例１、図１９〜図２２は実施例２、図２３、図２４は実施例３、図２５実施例４である。
【実施例１】
【００１０】
＜構成＞以下、構成について説明する。
【００１１】
図１の平面図や、図２の側面図に示すように、例えば、敷地１内などに雨水貯留設備２を設ける。そして、この雨水貯留設備２を、以下のようなものとする。
【００１２】
（１）即ち、地中３に、間隔を隔てて一対の縦坑４，５を設ける。
この一対の縦坑４，５間に、横方向へ延びて内部に雨水を貯留可能な貯留管６，７を接続する。
この貯留管６，７は、１本、または、上下方向に複数本並列に設置させるようにする。
そして、一対の縦坑４，５の間に少なくとも１つのヤリトリ部（例えば、ヤリトリ継手９など）を設ける。
【００１３】
ここで、地中３は、道路１１の下でも、公園や施設や住宅などの敷地１の下でも、どこでも良い。縦坑４，５は、上下方向に延びるものであれば何でも良い。貯留管６，７は、雨水を貯留できるものであれば何でも良い。貯留管６，７は、道路１１に沿ってほぼ水平に延びるものとされる。貯留管６，７は、例えば、円形断面のものなどとされる。
【００１４】
そして、一対の縦坑４，５に対して下側の貯留管６を取付けたものを基本形として、その上側に貯留管７を必要な本数だけ追加して設けられるようにする。図２では、雨水貯留設備２には、地中３にて貯留管６，７が上下に二段に設置されている。但し、貯留管６，７の設置段数は、上記に限るものではなく、図３の変形例に示すように、上下に三段としても良いし、それ以上の段数としても良い。なお、三段以上にする場合には、図２の上側の貯留管７と同じものを、上へ増設して行くようにするのが好ましい。
【００１５】
並列は、貯留管６，７を横方向や斜め方向に並べるなど、どのように並べても良い。この場合には、横向きにして互いにほぼ平行に配置した貯留管６，７を縦坑４，５の管軸方向（上下方向または地面とほぼ面直な方向）へ並べるようにしている。即ち、縦坑４，５を真上から見た時に、貯留管６，７が重なるように配置している。このようにすることにより、雨水貯留設備２の設置スペースを最小限に抑えることができる。
【００１６】
より具体的には、図２の例（具体例１）に示すように、縦坑４，５を、主に硬質塩化ビニルなどの樹脂製やコンクリート製などの管（縦管１３）で構成し、貯留管６，７を、主に横方向へ延びる樹脂製の管（横管状貯留管１４）で構成するのが好ましい。この場合、上下の横管状貯留管１４は、本体部分が同じ口径のものを使用するようにしている。但し、横管状貯留管１４の口径は、設置箇所の状況などに応じて適宜変更することができる。
【００１７】
そして、縦坑４，５を、縦管１３の上端部に開閉蓋部１５が取付けられた点検桝１６などとする。この場合、図の左側に位置する縦坑４が流入側桝とされ、右側に位置する縦坑５が流出側桝とされている。流出側の縦坑５は、流入側の縦坑４よりも下に長い（深い）ものとされている。
【００１８】
図４に示すように、流入側の縦坑４を構成する縦管１３の下端部には、屈曲部１７が予め設けられると共に、屈曲部１７よりも上側の外周面にはサドル型継手１８を適宜取付けることができるようになっている。サドル型継手１８は、縦管１３の側面に当接固定可能な部分円筒状のサドル部に対して筒状の継手部を一体に設けたものである。サドル型継手１８は、横管状貯留管１４の口径と同じものを使用しても良いが、この場合は、サドル型継手１８には、横管状貯留管１４の口径よりも小さいものが使用されている。サドル型継手１８は、貯留管６，７の設置本数が決められた段階で予め縦管１３に取付けるようにしても良いし、施工時に現場で取付けるようにしても良い。または、後日、貯留管７を増設する際に取付けたりすることもできる。
【００１９】
また、図５に示すように、流出側の縦坑５を構成する縦管１３の外周面には、上記と同様のサドル型継手２１や、サドル型継手２２などを適宜取付けることができるようになっている。この縦坑５のサドル型継手２１およびサドル型継手２２は、上記した縦坑４の屈曲部１７およびサドル型継手１８と、それぞれ同じ高さで対向するように設置される。この場合、サドル型継手２１は、横管状貯留管１４の口径と同じものが使用され、サドル型継手２２は、横管状貯留管１４の口径よりも小さいものが使用されている。但し、サドル型継手２２は、横管状貯留管１４の口径と同じものを使用しても良い。サドル型継手２１，２２は、貯留管６，７の設置本数が決められた段階で予め縦管１３に取付けるようにしても良いし、施工時に現場で取付けるようにしても良い。また、サドル型継手２２は、後日、貯留管７を増設する際に取付けたりすることもできる。
【００２０】
また、縦坑５の下端側の外周面には、排水口部２３が設けられ、雨水を雨水貯留設備２から、例えば、下水道本管２４（図１参照）などへ排水管２５を介して排出できるようにしている。この排水口部２３は、下側のサドル型継手２１とは反対側の位置に、サドル型継手２１とほぼ同じ高さとなるかそれよりも低くなるように設けられている。更に、縦坑５の底部には、泥溜め部２６が形成されている。
【００２１】
そして、上記した排水口部２３には、雨水の排出量を規制するためのオリフィス２７を取付けるようにする。このオリフィス２７は、流出側の縦坑５の内側に着脱可能に取付けられる。そのために、縦坑５の内側には、オリフィス２７を上下方向に装着可能なホルダー２８が排水口部２３の周辺に設けられる。また、オリフィス２７の上部には、必要に応じて、着脱の際に把持したり係止したりするなどのための把持部２９などが設けられる。
【００２２】
ここで、オリフィス２７は、例えば、図６に示すような、側面などに流量規制が可能な規制穴３１ａを有する容器状オリフィス部材３１や、図７に示すような流量規制が可能な規制穴３２ａを有する板状オリフィス部材３２や、図８に示すように、上記板状オリフィス部材３２の規制穴３２ａを覆うように目の粗い金網３３を取付けたものなどを用いることができる。この金網３３は、主に微細な土や藻などの植物を除去するためのフィルターとして使われるものである。なお、規制穴３１ａや規制穴３２ａの大きさや形状などは目的に応じて任意に変更することができる。例えば、規制穴３１ａや規制穴３２ａは、多数の小孔などで構成することもできる。
【００２３】
上記の他に、オリフィス２７には、例えば、図９に示すように、渦流による圧損を利用したボルテックスバルブ３４などを使用することもできる。
【００２４】
図１（図２）に戻って、上記した流入側の縦坑４の上部は、道路１１の側溝３５に設けられた雨水桝３７や、敷地１内に設けられた雨水排水管などからの雨水を集めるようにした雨水桝などに流入管３６を介して接続される。また、図２に示すように、上記した流出側の縦坑５の上部に対し、オーバーフロー管３８を接続してオーバーフローした雨水を雨水貯留設備２から排出できるようにしている。この場合、このオーバーフロー管３８は、例えば、下水道本管２４などに接続させるようにする。
【００２５】
そして、下側に位置する貯留管６は、上記した縦坑４の屈曲部１７と上記した縦坑５の下側のサドル型継手２１との間に接続されている。また、上側の貯留管７は、上記した縦坑４のサドル型継手１８と上記した縦坑５のサドル型継手２２との間に接続されている。
【００２６】
更に、ヤリトリ部は、配管を接続し易くするために嵌め込み量を可変とした構造のことである。上側の貯留管７の一端部には、サドル型継手１８と上側の貯留管７との間を接続するためのヤリトリ部として、上記ヤリトリ継手９（図１０参照）が取付けられている。このヤリトリ継手９は、例えば、配管の切断箇所などに主に用いられている継手であり、切断箇所の片側に深く嵌め込んでおき、切断箇所の状態を整えてから片側の切断箇所に対する嵌め込み量を浅くすることで、切断箇所の両側を連結して切断箇所を補修できるようにした継手などのことである。この場合には、ヤリトリ継手９は、サドル型継手１８へ内嵌可能な小径の差口部（図中左側）と、上側の貯留管７へ外嵌可能な大径の受口部（図中右側）とを有する片受口型のヤリトリ部とされており、差口部や受口部を通常のものよりも長くしてサドル型継手１８と上側の貯留管７との少なくとも一方に対する嵌合量を大きく変化させられるようにした継手となっている。
【００２７】
このような片受口型のヤリトリ部は、上側の貯留管７の他端部と、サドル型継手２２との間に対して設けることもできる。
【００２８】
また、特に図示しないが、両端部にそれぞれ大径の受口部を有して、上側の貯留管７の途中（の切断箇所など）に設置することで、上側の貯留管７に対する嵌合量を大きく変化させられるようにした両受口型のヤリトリ部（ヤリトリソケット）を用いることもできる。この両受口型のヤリトリ部は、図１０のヤリトリ継手９の左端部に、大径の受口部を設けたようなものとされる。両受口型のヤリトリ部（ヤリトリソケット）を用いた場合には、上側の貯留管７の両端部は、サドル型継手１８，２２に対して直接接続することが可能となる。
【００２９】
なお、これらの各ヤリトリ部は、少なくとも一箇所設けるようにすれば良い。また、上記したようなヤリトリ部は、下側の貯留管６の部分に対しても用いることができる。
【００３０】
更にまた、図１１に示すような貯留管６，７の本体を構成する管部材には、排水管として通常用いられる硬質塩化ビニル製の管や、水理性や耐久性や耐酸性に優れた多層構造管４１などを用いることができる。硬質塩化ビニル製の管は軽量であるため施工が容易である。また、多層構造管４１は、図１２に示すように、内面保護層４２と、内面ＦＲＰ層４３と、レジンモルタル層４４と、外面ＦＲＰ層４５と、外面保護層４６とを有する多層構造の管部材である。内面ＦＲＰ層４３および外面ＦＲＰ層４５には、それぞれ、周方向に延びるガラス繊維層４７と軸方向に延びるガラス繊維層４８とを有している。レジンモルタル層４４は、不飽和ポリエステル樹脂と珪砂とからなるものとされる。
【００３１】
このような多層構造管４１は、硬質塩化ビニル製の管と比べて大口径にすることができるので、より大きな雨水の貯留容量を確保することができる。また、多層構造管４１は、砕石で埋め戻すことが可能であるため、液状化が懸念される場所や、軟弱地盤、地下水位の高い場所などへの設置にも適している。
【００３２】
そして、上記した貯留管６，７の内径を６００ｍｍまでの中・小口径のものとする場合には、取り扱いの容易な硬質塩化ビニル製の管を用いるのが望ましい。また、貯留管６，７の内径を６００ｍｍ〜２６００ｍｍなどの大口径のものとする場合には、埋設土の土圧に耐えられる強度を確保できる多層構造管４１を用いるのが望ましい。
【００３３】
（２）そして、図２に示すように、少なくとも１本の上記貯留管７が、流出側の縦坑５（図中右側）に、偏芯縮管継手５１を介して管底接続される。
【００３４】
ここで、偏芯縮管継手５１（図１３参照）は、上側の貯留管７の他端部（図中右端部）に取付けられている。なお、偏芯縮管継手５１は、下側の貯留管６の他端部に取付けるようにしても良い。管底接続とは、異径の配管どうしを底部が面一となるようにする接続の仕方のことである。
【００３５】
この場合、上側の貯留管７の一端部（図中左端部）は、流入側の縦坑４に対し偏芯拡管継手５２を用いて管頂接続されている。管頂接続とは、異径の配管どうしを頂部が面一となるようにする接続の仕方のことである。この偏芯拡管継手５２は、上記した偏芯縮管継手５１を上下左右反転したようなものである。
【００３６】
なお、ヤリトリ部には、上記したヤリトリ継手９と偏芯拡管継手５２とに替えて、ヤリトリ継手９と偏芯拡管継手５２とを組み合わせて一体化した構造の偏芯拡管ヤリトリ継手５３（図１４参照）を用いるようにしても良い。
【００３７】
ヤリトリ継手９や偏芯拡管ヤリトリ継手５３などには、必要に応じて、一端側の受口部の内部に、嵌合量の変化に拘わらずシール性を確保するためのゴム輪５５が設けられ、他端側の差口部の外周面に、嵌合深さの基準を表わすための標線５６などが設けられる。
【００３８】
（３）図２に示すように、上記複数本の貯留管６，７が、管台６１を介して上下に積層配置される。
【００３９】
ここで、管台６１（図１５、図１６参照）は、貯留管６，７を保持する機能を有するスペーサ部材であり、例えば、最も下側に位置する貯留管６と上側の貯留管７との間や、上下に位置する貯留管７どうしの間などに設置される。
【００４０】
このスペーサ部材は、少なくとも、下側の貯留管６の上半部に合致する円弧状凹部６２を有する下部部材６３と、上側の貯留管７の下半部に合致する円弧状凹部６４を有する上部部材６５と、を上下方向に連結したものとされる。特に図示しないが、貯留管６，７を三段以上に設ける場合には、保持する貯留管６，７の形状に応じた円弧状凹部を有する下部部材や上部部材を適宜上下に組み合わせて使用する。
【００４１】
この場合、管台６１の設置位置は、貯留管６，７の長手方向の中央部と両端近傍との３箇所となっているが、これに限るものでなく、必要な位置に設置することができる。
【００４２】
（４）或いは、図１７、図１８に示すように、上記貯留管６，７は、外周に多数のリブ７１，７２を有するリブパイプ７３によって構成しても良い。
【００４３】
ここで、リブパイプ７３は、例えば、外周面に、大小のリブ７１，７２などを軸方向に沿って多数有するパイプのことである。このリブパイプ７３は、砕石で埋め戻すことが可能であり、液状化が懸念される場所や、軟弱地盤、地下水位の高い場所などへの設置にも適している。
【００４４】
＜効果＞上記した実施例によれば、以下のような効果を得ることができる。
【００４５】
降雨時などに、降った雨水は、側溝３５や雨水排水管から雨水桝３７を介して流入側の縦坑４へ入り、先ず、縦坑４から下側の貯留管６へ導かれる。貯留管６内の雨水は、流出側の縦坑５から排水口部２３および排水管２５を介して下水道本管２４へ排出される。排水口部２３には、オリフィス２７が設けられているので、オリフィス２７によって流出規制が行われる。そのため、いわゆるゲリラ豪雨などの多量降雨時には、流出量よりも流入量の方が多くなるので、雨水は、規制量を越えた分が貯留管６の内部に貯留され、更に、量が多くなると上側の貯留管７の内部にも貯留されることになる。貯留管６および貯留管７の内部に一時的に貯留された雨水は、降雨が止んだ後に徐々に下水道本管２４へ排出されることとなり、これによって、例えば、下水道本管２４へ一気に雨水が流入することで下水道本管２４が溢れるのを防止することができる。
【００４６】
なお、貯留量が過剰になって貯留管７の容量を越えた雨水は、オーバーフロー管３８からオーバーフローされて下水道本管２４へ排出される。これによって、雨水貯留設備２が溢れるのを防止することができる。また、オリフィス２７は、流入側の縦坑５の内部にホルダー２８を介して上下方向に着脱できるようになっているので、縦坑５から取り外して簡単にメンテナンスすることができる。
【００４７】
（作用効果１）一対の縦坑４，５間に、横方向へ延びる貯留管６，７を上下方向に複数本並列に設けた。これにより、一対の縦坑４，５間に貯留管６，７をコンパクトにまとめて複数本設けることができる。よって、いわゆる狭小地などの狭い設置スペースであっても、比較的大きな貯留量を有する雨水貯留設備２を容易に設置して使用することが可能となる。
【００４８】
しかも、雨水の貯留に貯留管６，７を用いるので、構造が簡単であり、また、貯留管６，７の口径や設置本数などによって、必要貯留量を容易に得ることができる。また、貯留管６，７は、ジェット洗浄やバキュームなどによる排水が可能なので、メンテナンスも容易である。
【００４９】
また、一対の縦坑４，５の間に少なくとも１つのヤリトリ部（片受口型のヤリトリ継手９や両受口型のヤリトリソケットなど）を設けた。これにより、先に設置されている一対の縦坑４，５の間に、大径の長尺物でしかも重量物である貯留管６，７を下側から１本ずつ順番に取付けて行くように施工することが可能となるので、特殊な技術を有する専門の業者ではない一般的な業者であっても、容易に施工することができる。また、後から貯留管７を増設することも可能となる。
【００５０】
（作用効果２）少なくとも１本の貯留管７を流出側の縦坑５に偏芯縮管継手５１を介して管底接続した。これにより、貯留管７を小型のサドル型継手２２を用いて流出側の縦坑５に取付けることができ、その分、貯留管６，７を上下方向に詰めて設置することでより多くの本数の貯留管６，７を流出側の縦坑５に接続することが可能となると共に、当該貯留管７の底部に水が残らないように流出側の縦坑５へ排水することが可能となる。
【００５１】
なお、偏芯拡管継手５２を設けることにより、多くの本数の貯留管６，７を流入側の縦坑４に接続することが可能となる
【００５２】
（作用効果３）複数本の貯留管６，７を、管台６１を介して上下に積層配置した。これにより、下側の貯留管６，７に上側の貯留管７を直接支えさせることができるので、貯留管６，７を１本ずつ土に埋め戻しながら順番に取り付けて行くような手間をかけずに、貯留管６，７を所要の隙間を有して多段に構築してから一気に地中３に埋め戻すような施工が可能となるので、工期の短縮を図ることができる。
【００５３】
（作用効果４）貯留管６，７をリブパイプ７３とした。リブパイプ７３は、外周面に多数のリブ７１，７２を有するパイプのことである。これにより、貯留管６，７を砕石で地中３に埋め戻すことで、リブ７１，７２によって貯留管６，７を砕石に確実に固定することができるので、周辺の地下水位が高い場合や、周辺に液状化現象などが生じた場合などでも、貯留管６，７が浮き上がらないようにすることができる。
【実施例２】
【００５４】
＜構成＞以下、構成について説明する。
図１９〜図２２は、この実施例の説明図である。
【００５５】
この実施例では、上記した縦坑４，５を、樹脂製の縦管１３による点検桝１６ではなく、図１９に示すように、コンクリートマンホール８１としている。
【００５６】
このコンクリートマンホール８１は、コンクリート製の筒状体８３を縦に積み重ねて構築したものとされる。コンクリートマンホール８１の場合、上記した屈曲部１７やサドル型継手１８に替えて、図２０に示すような流入側のマンホール継手８４を用い、上記したサドル型継手２１、サドル型継手２２に替えて、図２１に示すような流出側のマンホール継手８５を用いて樹脂製の貯留管６，７を取付けるようにする。
【００５７】
これらのマンホール継手８４，８５は、樹脂製の管部材で主に構成されると共に、その一端部の表面に砂付け加工が施されたものである（砂付部８８）。このマンホール継手８４，８５は、コンクリートマンホール８１に削孔された取付孔へ砂付部８８を挿入配置した状態にして、取付孔と砂付部８８との間にモルタルや接合剤などを充填することで、コンクリートマンホール８１に固定できるようにしたものである。
【００５８】
そして、このマンホール継手８４を、コンクリートマンホール８１に固定する前の状態で上記したヤリトリ部（ヤリトリ継手９）として使用させるようにする。または、このマンホール継手８４に対して別のヤリトリ継手９を取付けるようにしても良い。
【００５９】
また、図２２の変形例に示すように、上記したオーバーフロー管３８は、コンクリートマンホール８１の内部に設けるようにしても良い。この場合、オーバーフロー管３８は、排水口部２３の位置から上方へ延びるように設けるようにしている。
【００６０】
なお、上記以外の構成については、上記した実施例と同様である。
【００６１】
＜効果＞上記した実施例によれば、以下のような効果を得ることができる。
【００６２】
この実施例によれば、上記した実施例と同様の作用効果が得られると共に、縦坑４，５をコンクリートマンホール８１で構成することができる。
【実施例３】
【００６３】
＜構成＞以下、構成について説明する。
図２３、図２４は、この実施例の説明図である。
【００６４】
この実施例では、ヤリトリ部（ヤリトリ継手９）の周辺に、自在継手９１を備えるようにしている。
【００６５】
ここで、自在継手９１は、球面座と、球面受とを有して首振可能に構成された継手のことである。自在継手９１は、ヤリトリ部（ヤリトリ継手９）の上流側または下流側に連続して設けるのが好ましい。この場合には、流入側の縦坑４に取付けられたサドル型継手１８に自在継手９１を設け、この自在継手９１にヤリトリ部（ヤリトリ継手９）を介して貯留管７を接続するようにしている。自在継手９１は、本実施例以外の実施例についても設けることができる。
【００６６】
なお、この実施例では、流入側の縦坑４の底部にも泥溜め部２６を設けるようにしている。また、他の構成については、上記各実施例と同じにすることができる。
【００６７】
＜効果＞上記した実施例によれば、以下のような効果を得ることができる。
【００６８】
この実施例によれば、上記した実施例と同様の作用効果が得られると共に、ヤリトリ部（ヤリトリ継手９）の周辺に、自在継手９１を備えることにより、図２４に示すように、施工時に、自在継手９１を中心として貯留管７を傾動させることができるので、貯留管７が大径の長尺物でしかも重量物であっても、貯留管７をより容易に設置することが可能となる。
【実施例４】
【００６９】
＜構成＞以下、構成について説明する。
図２５（ａ）〜（ｃ）は、この実施例の説明図である。
【００７０】
この実施例では、地中３に、流入管３６と排出管２５とオーバーフロー管３８とを有している（または接続されている）縦坑４が（１本）設けられており、
更に、この縦坑４には、横方向へ延びて内部に雨水を貯留可能な貯留管６，７が、少なくとも１本以上接続されている。
【００７１】
ここで、縦坑４は、１本のみ設けるようにしている。そして、貯留管６，７は、１本の縦坑４に対して例えば、上下方向に複数本並列に設置させるようにしている。貯留管６，７は、縦坑４と反対側へ向かって上がりとなる排水勾配を有して設置されると共に、縦坑４と反対側の端部が閉塞されている。以上により、簡易型の雨水貯留設備２としている。なお、他の構成については、上記各実施例と同じにすることができる。また、一端部が閉塞された貯留管６，７は、他の実施例に対して設けることもできる。
【００７２】
＜効果＞上記した実施例によれば、以下のような効果を得ることができる。
【００７３】
この実施例によれば、上記した実施例と同様の作用効果が得られると共に、１本の縦坑４に、横方向へ延びて内部に雨水を貯留可能な貯留管６，７が、少なくとも１本以上接続されることにより、敷地１が狭くて地中３に雨水貯留設備２を埋設するのに制限が生じるような場合であっても、雨水貯留設備２を簡易型にすることによって、支障なく設置することが可能になる。
【００７４】
＜その他の実施例＞
上記各実施例では、貯留管６，７を円形断面のものとしているが、貯留管６，７は、卵型断面のものや楕円形断面のものや長円形断面のものなどとしても良い。或いは、貯留管６，７は、四角形などの角型断面のものとしても良い。または、貯留管６，７は、コンクリート製のボックスカルバートを連結した管路状のものとして、一対の縦坑４，５の間に並列に設置するようにしても良い。
【００７５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００７６】
２    雨水貯留設備
３    地中
４    縦坑
５    縦坑
６    貯留管
７    貯留管
９    ヤリトリ継手
２５  排出管
３６  流入管
３８  オーバーフロー管
５１  偏芯縮管継手
６１  管台
７１  リブ
７２  リブ
７３  リブパイプ
９１  自在継手
【図１】
2016186213.tif 000003
【図２】
2016186213.tif 000004
【図３】
2016186213.tif 000005
【図４】
2016186213.tif 000006
【図５】
2016186213.tif 000007
【図６】
2016186213.tif 000008
【図７】
2016186213.tif 000009
【図８】
2016186213.tif 000010
【図９】
2016186213.tif 000011
【図１０】
2016186213.tif 000012
【図１１】
2016186213.tif 000013
【図１２】
2016186213.tif 000014
【図１３】
2016186213.tif 000015
【図１４】
2016186213.tif 000016
【図１５】
2016186213.tif 000017
【図１６】
2016186213.tif 000018
【図１７】
2016186213.tif 000019
【図１８】
2016186213.tif 000020
【図１９】
2016186213.tif 000021
【図２０】
2016186213.tif 000022
【図２１】
2016186213.tif 000023
【図２２】
2016186213.tif 000024
【図２３】
2016186213.tif 000025
【図２４】
2016186213.tif 000026
【図２５】
2016186213.tif 000027